(57)【特許請求の範囲】
【請求項１】
外郭を形成する本体筐体と、
この本体筐体に設けられ、空気を吸い込む吸込口と、
前記本体筐体に収納され、空気の水分の除湿を行う除湿手段と、
前記本体筐体に収納され、空気の送風を行う送風機と、
前記本体筐体に設けられ、縦方向の隙間を乾燥させるのに適した縦長気流をつくる縦長の吹出口および洗濯物乾燥に適した気流をつくる横長の吹出し口と、
を備えたことを特徴とする除湿機。
【請求項２】
外郭を形成する本体筐体と、
この本体筐体に設けられ、空気を吸い込む吸込口と、
前記本体筐体に収納され、空気の水分の除湿を行う除湿手段と、
前記本体筐体に収納され、空気の送風を行う送風機と、
前記本体筐体に設けられ、広がり方向が異なる気流を吹き出すことができる環状の吹出口と、
を備えたことを特徴とする除湿機。
【請求項３】
外郭を形成する本体筐体と、
この本体筐体に設けられ、空気を吸い込む吸込口と、
前記本体筐体に収納され、空気の水分の除湿を行う除湿手段と、
前記本体筐体に収納され、空気の送風を行う送風機と、
前記本体筐体に設けられ、広がり方向が異なる気流を吹き出すことができるコの字型の吹出口と、
を備えたことを特徴とする除湿機。
【請求項４】
外郭を形成する本体筐体と、
この本体筐体に設けられ、空気を吸い込む吸込口と、
前記本体筐体に収納され、空気の水分の除湿を行う除湿手段と、
前記本体筐体に収納され、空気の送風を行う送風機と、
前記本体筐体に設けられ、広がり方向が異なる気流を吹き出すことができる折れ線形状の吹出口と、
を備えたことを特徴とする除湿機。
【請求項５】
外郭を形成する本体筐体と、
この本体筐体に設けられ、空気を吸い込む吸込口と、
前記本体筐体に収納され、空気の水分の除湿を行う除湿手段と、
前記本体筐体に収納され、空気の送風を行う送風機と、
前記本体筐体に設けられ、縦長の吹出口と横長の吹出口を含む少なくとも３種類以上の気流を吹出すことができる３個以上の吹出口と、
を備えたことを特徴とする除湿機。
【請求項６】
外郭を形成する本体筐体と、
この本体筐体に設けられ、空気を吸い込む吸込口と、
前記本体筐体に収納され、空気の水分の除湿を行う除湿手段と、
前記本体筐体に収納され、空気の送風を行う、スクロールケーシングを用いないターボファンと、
前記本体筐体に設けられ、空気を吹き出す吹出口と、
を備えたことを特徴とする除湿機。
【請求項７】
前記吹出口として、吹き出し空気を上方向に吹き出す第１の吹出口と、下方向に吹き出す第２の吹出口と、左方向に吹き出す第３の吹出口と、右方向に吹き出す第４の吹出口と、を備えたことを特徴とする請求項６記載の除湿機。
【請求項８】
前記吹出口を覆う風向可変ベーンを設けたことを特徴とする請求項１〜７のいずれかに記載の除湿機。
【請求項９】
前記風向可変ベーンは前記吹出口を分割して覆うことを特徴とする請求項８記載の除湿機。
【発明の詳細な説明】
【０００１】
【発明の属する技術分野】
この発明は、空気中の水分を除湿する除湿機に関するものである。
【０００２】
【従来の技術】
従来例１．
図８は従来の除湿機を示す垂直断面図である。図において、１０１はユニット背面に設けられた吸込口１０２の下流側の風路１０３に配置された蒸発器である。その下流側には凝縮器１０４が設けられ、更にその下流側には送風ダクト１０５、送風ファン１０６を介して風向可変ベーン１０７を有する吹出口１０８がユニット上面に設けられている。また、ドレン口１１０の下には、タンク１１１が設置されている。一方蒸発器１０１と凝縮器１０４は冷媒配管にて底板１１２の上に取り付けられた圧縮機１１３に連結され、冷媒回路を構成している。
【０００３】
次に、動作について説明する。圧縮機１１３が運転を開始すると、高温高圧の冷媒ガスが凝縮器１０４に流れ込み、凝縮器１０４は高温に保たれる。また一方、送風ファン１０６により吸込口１０２より吸い込まれた空気１１４により凝縮器１０４の冷媒ガスは冷却され凝縮し、高温高圧の気液混合状態となり、凝縮器１０４より流出し、更に毛細管を通ることにより低温低圧の冷媒液となり蒸発器１０１に流入する。
【０００４】
蒸発器１０１の冷媒液は吸い込まれた空気１１４で加熱されて蒸発し、低圧の冷媒ガスとなって圧縮機１１３に吸入される。その時、同時に吸い込み空気１１４は蒸発器１０１で冷却され、冷却後の温度における飽和水蒸気より多い水分は結露して、ドレンパンに受けられ、更にドレン口を通ってタンク１１１内に落ち、貯められる。このように、蒸発器１０１を通過することで冷却され、絶対湿度の低下した吸い込み空気１１４は更に凝縮器１０４を通過して加熱され、常温の乾燥した空気として送風ダクト１０５を通り、送風ファン１０６により吹出口１０８より上方に放出される。
【０００５】
従来例２．
除湿機は、本来の目的である空中の水分を除湿すること以外に、湿気を帯びた対象物に直接に乾燥した空気を吹き出して乾燥することが考えられ、こうした目的で２方向に吹出口を設けた除湿機がある。
図９は、例えば特開平５−１４１７０５号公報に示された２方向吹き出し除湿機の吹き出し部分の構造を示した図である。図において、１２５は吸込口、１３６は蒸発器、１３８は凝縮器、１５３は送風ファン、１２６は第１の吹出口、１２７は第２の吹出口、１６２は図９（Ａ）では第１の吹出口１２６へ、図９（Ｂ）では第２の吹出口１２７へ送風を切り換える風向案内板である。
【０００６】
前面の吸込口１２５からの空気は、蒸発器１３６と凝縮器１３８で除湿後に、図示されないモータで同軸駆動される送風ファン１５３による風を一旦１方向の上方に集め、風向案内板１６２により、第１の吹出口１２６または第２の吹出口１２７へ切り替えて排気する。
【０００７】
従来例３．
図１０は、例えば特開平８−１８９６６４号公報に示された２方向吹き出し除湿機の断面構成図である。図において、１３３は吸込口、１３６は蒸発器、１３８は凝縮器、１４０はファンモータ、１３７はファンモータ１４０で同軸駆動される送風ファン、１３２は第１の吹出口、１３４は第２の吹出口、１３１は吹出ルーバーである。
【０００８】
空気は前面吸込口１３３から取り入れられ、除湿後、送風ファン１３７で上下の２方向に送られ、それぞれ第１の吹出口１３２と第２の吹出口１３４から排気される。しかし、これら従来例２，３では、送風ファン１５３、送風ファン１３７はともに遠心ファンであり、従って送風は回転軸に対していったん直角方向にまとめられて、その出口で送風を再び回転軸方向に切り換える構造となっている。
【０００９】
【発明が解決しようとする課題】
従来の除湿機は以上のように構成されており、従来例１では、乾燥した空気のための排気口が一定方向であり、洗濯物や湿気を帯びた畳、押し入れや靴箱等に直接風を送って乾かすことができない、という問題点があった。また、吹出口方向が１箇所であるため、空気の吹き出し速度が速くなることから、騒音の面で問題点があった。また、吹出口が水平方向に長い形であるため、鉛直方向に長い隙間の乾燥には効率が良くなかった。
【００１０】
従来例２では、吹き出し方向が２方向であり、どちらか１つの吹出口しか選択できないため、用途が限定され、使用勝手の面で問題点があった。
【００１１】
従来例３では、吹き出し方向が２方向であり、またどちらの吹出口も水平方向に長い形であるため、用途が２つに限定され、使用勝手の面で問題点があった。
【００１２】
従来例２，３では、乾燥した空気をまとめてから出口で送風の向きを切り換えているので、吹出口での圧力損失が増大することから、送風効率や騒音の面で問題点があった。
【００１３】
この発明は、かかる問題点を解決するためになされたもので、第１の目的は、用途に適した気流を吹き出す除湿機を得ることである。
また、第２の目的は、様々な用途に使用できる除湿機を得ることである。
また、第３の目的は、１つのターボファンで、風路を切り換えたり、広い方向に吹き出したり、多方向に同時に吹き出したりすることができる除湿機を得ることである。
また、第４の目的は、低騒音かつ高効率な除湿機を得ることである。
【００１４】
【課題を解決するための手段】
この発明に係る除湿機は、外郭を形成する本体筐体と、この本体筐体に設けられ、空気を吸い込む吸込口と、本体筐体に収納され、空気の水分の除湿を行う除湿手段と、本体筐体に収納され、空気の送風を行う送風機と、本体筐体に設けられ、縦方向の隙間を乾燥させるのに適した縦長気流をつくる縦長の吹出口および洗濯物乾燥に適した気流をつくる横長の吹出し口と、を備えたものである。
【００１６】
また、外郭を形成する本体筐体と、この本体筐体に設けられ、空気を吸い込む吸込口と、本体筐体に収納され、空気の水分の除湿を行う除湿手段と、本体筐体に収納され、空気の送風を行う送風機と、本体筐体に設けられ、広がり方向が異なる気流を吹き出すことができる環状の吹出口と、を備えたものである。
【００１７】
また、外郭を形成する本体筐体と、この本体筐体に設けられ、空気を吸い込む吸込口と、本体筐体に収納され、空気の水分の除湿を行う除湿手段と、本体筐体に収納され、空気の送風を行う送風機と、本体筐体に設けられ、広がり方向が異なる気流を吹き出すことができるコの字型の吹出口と、を備えたものである。
【００１８】
また、外郭を形成する本体筐体と、この本体筐体に設けられ、空気を吸い込む吸込口と、本体筐体に収納され、空気の水分の除湿を行う除湿手段と、本体筐体に収納され、空気の送風を行う送風機と、本体筐体に設けられ、広がり方向が異なる気流を吹き出すことができる折れ線形状の吹出口と、を備えたものである。
【００１９】
また、外郭を形成する本体筐体と、この本体筐体に設けられ、空気を吸い込む吸込口と、本体筐体に収納され、空気の水分の除湿を行う除湿手段と、本体筐体に収納され、空気の送風を行う送風機と、本体筐体に設けられ、縦長の吹出口と横長の吹出口を含む少なくとも３種類以上の気流を吹出すことができる３個以上の吹出口と、を備えたものである。
【００２０】
また、外郭を形成する本体筐体と、この本体筐体に設けられ、空気を吸い込む吸込口と、本体筐体に収納され、空気の水分の除湿を行う除湿手段と、本体筐体に収納され、空気の送風を行う、スクロールケーシングを用いないターボファンと、本体筐体に設けられ、空気を吹き出す吹出口と、を備えたものである。
【００２１】
また、スクロールケーシングを用いないターボファンと、吹出口として、吹き出し空気を上方向に吹き出す第１の吹出口と、下方向に吹き出す第２の吹出口と、左方向に吹き出す第３の吹出口と、右方向に吹き出す第４の吹出口と、を備えたものである。
【００２２】
また、吹出口を覆う風向可変ベーンを設けたものである。
【００２３】
また、風向可変ベーンは吹出口を分割して覆うものである。
【００２４】
【発明の実施の形態】
実施の形態１．
本発明の低騒音吹き出しと、高効率かつ低騒音に複数方向への吹き出しの任意切り換え、複数方向への同時吹き出しが可能な除湿機の一例を、図に基づいて説明する。冷凍サイクルの構成は従来技術のものと同様である。
図１から図３は実施の形態１における除湿機を示す図で、図１は除湿機の正面外面図、図２は除湿機の側面断面図、図３は除湿機の正面断面図である。
【００２５】
図１〜３において、送風機の一例である、スクロールケーシングを用いないターボファン１を中心として、本体筐体の上方に横長の上方向吹出口２、下方に横長の下方向吹出口３、左方向に縦長の左方向吹出口４、右方向に縦長の右方向吹出口５が設けられている。各吹出口には、風向制御用兼吹出口を閉めるための蓋である風向可変ベーン６、７、８、９が設置されている。１０は除湿機本体の背面にあるユニット背面の吸い込みグリル２０に設けられた吸込口で、この吸込口１０の下流側の風路１９に蒸発器１１と凝縮器１２が設置されている。
【００２６】
蒸発器１１で結露した水は、ドレンパン１８に受けられドレン口１３を通ってタンク１４内に落ち貯められる。一方蒸発器１１と凝縮器１２は冷媒配管にて底板１５の上に取り付けられた圧縮機１６に連結され、冷媒回路を構成している。
【００２７】
次に動作について説明する。
スクロールケーシングを用いないターボファン１が稼動して回転すると、このターボファン１への吸い込み流れは、ユニット背面の吸込口１０から吸い込まれ、蒸発器１１、凝縮器１２を順次通過した後、ターボファン１へと至る。そしてターボファン１を通過した流れは羽根車回転方向に対し放射状に吹き出され、長手方向の異なる各吹出口、上方向吹出口２、下方向吹出口３、左方向吹出口４、右方向吹出口５から吹き出し風として流出される。
【００２８】
このとき各吹出口に設置してある風向可変ベーン６、７、８、９により、各吹出口からの流出角度が任意に制御される。風向可変ベーン６、７、８、９は、手動により位置を決定できる。もしくは、運転モードに合わせて自動的に風向可変ベーン６、７、８、９が制御される。このとき、風向可変ベーン６、７、８、９のいずれか１箇所以上３箇所以下が閉まっている場合は、吹出口が任意に選択されて風向が制御される。また、風向可変ベーン６、７、８、９の開閉と角度を連動させて制御することにより、同時に任意の方向に吹き出すことができ、空気の吹き出し形態を幅広く設定することが可能となる。
【００２９】
左方向吹出口４、右方向吹出口５は縦長であるため、押し入れ、靴箱や家具の隙間など、縦方向の隙間を乾燥するのに適した縦長気流をつくることができる。
【００３０】
また、上方向吹出口２は従来の除湿機と同じく横長であるため、同じ除湿機で洗濯物乾燥に適した気流をつくることもでき、縦長気流と横長気流の使い分けが可能となる。
【００３１】
また、吹出口が上方向吹出口２、下方向吹出口３、左方向吹出口４、右方向吹出口５、と４箇所設けてあるので、任意の方向を選択して吹き出す場合には、例えば洗濯物乾燥に適した上吹き横長気流、床乾燥に適した横長下吹き気流、押し入れや靴箱乾燥に適した側方吹き縦長気流と、少なくとも３種類以上の気流を吹き出すことができ、用途に応じた使い分けが可能となる。
【００３２】
また、多方向に同時に吹き出す場合は、同一風量時において各吹出口での流速が小さくなるため、同一風量時の騒音が従来のものと比較して小さくなり、除湿機としての性能が向上する。
【００３３】
また、多方向に同時に吹き出すことで広い角度に吹き出すことが可能となり、同時に多くのものに乾燥空気を当てることが可能となる。
【００３４】
また、ある吹出口からの気流に、異なる吹出口からの気流を当てることによって、その気流を制御することが可能となり、例えば気流到達距離を伸ばすことが可能となる。
【００３５】
また、スクロールケーシングを用いないターボファン１を使用しているため、全体構造が単純になり、組み立て性、解体性が良くなる。そのため、吹出口が複数になっても全体の構造が複雑にならない。また、従来の除湿機に比べてスクロールケーシングの分だけ寸法に余裕が生じ、ファン径や圧縮機１６を大きくすることができ、除湿能力を上げることが可能となる。また、スクロールケーシングの分だけユニット全体の寸法を小さくすることも可能である。
【００３６】
また、ターボファン１を用いているために、従来のシロッコファンやクロスフローファンを用いた除湿機よりもモータ効率が上がる。また、ターボファン１を用いているために、従来のシロッコファンやクロスフローファンと比較して、圧力損失が大きい風路でも動作が安定し、騒音の急激な悪化を生じない。よって、熱交換器前面面積の制約が従来の除湿機と同一の場合でも、フィン間の距離の狭い熱交換器や、列数の大きな熱交換器を用いることが可能となり、除湿能力も向上する。
【００３７】
また、上下左右に吹出口を設けているために、ターボファン１からの吹き出し空気の角度を急激に変化させなくともユニット外部の様々な方向に吹き出すことが可能となり、送風効率が向上する。
【００３８】
上述の実施の形態では、除湿手段として冷凍サイクルを用いるものを示したが、これ以外のもでもよい。
【００３９】
また、送風機としてスクロールケーシングを用いないターボファンを用いるものを示したが、他の送風機でもよい。
【００４０】
また、長手方向が直交する吹出口を示したが、直交でなくても方向が異なればよい。
【００４１】
実施の形態２．
上記実施の形態１において、吹出口に設置されている風向可変ベーンは４個であるが、風向可変ベーンで吹出口を分割して塞ぐ構成とすることができる。
図４は実施の形態２を示す図で、除湿機の正面断面図である。図において、２１〜２６は、上方向吹出口２、左方向吹出口４、右方向吹出口５の吹出口を分割して塞ぐ風向可変ベーンである。図示されていないが、下方向吹出口３も同様に吹出口を分割して塞ぐ風向可変ベーンが設けられている。吹出口を分割して塞ぐ風向可変ベーンを設けることにより、吹き出し空気の吹き出し幅を制御することが可能となり、狭い空間の除湿に適した気流をつくることができる。
図４では、各吹出口を２分割して塞ぐものを示したが、分割数はもちろんこれに限定されるものではない。
【００４２】
実施の形態３．
上記実施の形態１では吹出口は４個所であったが、吹出口が環状である形態として、吹出口をロの字型の構成とすることができる。
図５は実施の形態３を示す図で、除湿機の正面図である。図において、２７はロの字型吹出口である。このロの字型吹出口２７を設けることにより、従来の横に広く縦に細い気流だけではなく、広がり方向の異なる気流をつくることが可能となり、従来の除湿機よりも用途が広がり使い勝手が向上する。
【００４３】
なお、ロの字型吹出口２７を分割して塞ぐ風向可変ベーンを設けることにより、吹き出し空気の吹き出し方向や吹き出し幅を制御することが可能となり、様々な気流をつくることができる。これにより実施の形態１、２と同様の効果を得ることができる。
【００４４】
実施の形態４．
上記実施の形態１では吹出口は４個所であったが、吹出口が円弧形状である形態として、吹出口をコの字型の構成とすることができる。
図６は実施の形態４を示す図で、除湿機の正面図である。図において、２８は円弧状吹出口、２９は円弧状下吹出口である。円弧状の吹出口を設けることにより、従来の横に広く縦に細い気流だけではなく、広がり方向の異なる気流をつくることが可能となり、従来の除湿機よりも用途が広がり使い勝手が向上する。
【００４５】
各吹出口を分割して塞ぐ風向可変ベーンを設けることにより、吹き出し空気の吹き出し方向や吹き出し幅を制御することが可能となり、様々な気流をつくることができる。これにより実施の形態１、２と同様の効果を得ることができる。
【００４６】
実施の形態５．
上記実施の形態１では吹出口は４個所であったが、吹出口が折れ線形状である形態として、吹出口をコの字型の構成とすることができる。
図７は実施の形態５を示す図で、除湿機の正面図である。図において、３０はコの字型吹出口である。コの字型吹出口３０を設けることにより、従来の横に広く縦に細い気流だけではなく、広がり方向の異なる気流をつくることが可能となり、従来の除湿機よりも用途が広がり使い勝手が向上する。
【００４７】
吹出口を分割して塞ぐ風向可変ベーンを設けることにより、吹き出し空気の吹き出し方向や吹き出し幅を制御することが可能となり、様々な気流をつくることができる。これにより実施の形態１、２と同様の効果を得ることができる。
【００４８】
【発明の効果】
この発明に係る除湿機は、縦方向の隙間を乾燥させるのに適した縦長気流をつくる縦長の吹出口および洗濯物乾燥に適した気流をつくる横長の吹出口を設けることにより、従来の横に広く縦に細い気流だけではなく、広がり方向の異なる気流をつくることが可能となり、従来の除湿機よりも用途が広がり使い勝手が向上する。
【００５０】
また、広がり方向が異なる気流を吹き出すことができる環状の吹出口を設けることにより、従来の横に広く縦に細い気流だけではなく、広がり方向が異なる気流をつくることが可能となり、従来の除湿機よりも用途が広がり使い勝手が向上する。
【００５１】
また、広がり方向が異なる気流を吹き出すことができるコの字型の吹出口を設けることにより、従来の横に広く縦に細い気流だけではなく、広がり方向が異なる気流をつくることが可能となり、従来の除湿機よりも用途が広がり使い勝手が向上する。
【００５２】
また、広がり方向が異なる気流を吹き出すことができる折れ線形状の吹出口を設けることにより、従来の横に広く縦に細い気流だけではなく、広がり方向が異なる気流をつくることが可能となり、従来の除湿機よりも用途が広がり使い勝手が向上する。
【００５３】
また、縦長の吹出口と横長の吹出口を含む少なくとも３種類以上の気流を吹出すことができる吹出口を３個以上設けることにより、全体の送風量を落とさずに空気の吹き出し速度を落とすことができ、吹出口での圧力損失が小さくなる。このため従来の除湿機より低騒音に空気を除湿することが可能となる。また、３種類以上の気流を提供できるので、使い勝手が良くなり除湿機としての性能が向上する。
【００５４】
また、スクロールケーシングを用いないターボファンを使用することにより、ユニット寸法が従来の除湿機と同一の場合、スクロールケーシングの分だけファンの寸法を大きくすることが可能となり、送風量が増大する。従って、除湿能力が増大する。
【００５５】
さらに、スクロールケーシングを用いないターボファンを使用しているために、スクロールケーシングの分だけユニット全体を小型化することが可能となる。
【００５６】
さらに、スクロールケーシングを用いないターボファンを使用しているために、ユニット寸法が従来の除湿機と同一の場合、スクロールケーシングの分だけ圧縮機を大きくすることが可能となり、除湿能力が増大する。
【００５７】
さらに、ターボファンを使用しているために、シロッコファンやクロスフローファンを用いた従来の除湿機よりもモータ効率が良くなる。
【００５８】
さらに、ターボファンを使用しているために、フィン間の距離が狭く、列数の多い熱交換器といった、圧力損失の大きい熱交換器を用いることが可能となり、除湿能力が増大する。
【００５９】
また、吹出口を上下左右の４ヶ所に設けることにより、全体の送風量を落とさずに空気の吹き出し速度を落とすことができ、またファンからの吹き出し空気をほとんど曲げずにユニット外部に吹き出すため、吹出口での圧力損失が小さくなる。このため従来の除湿機より低騒音に空気を除湿することが可能となる。
【００６０】
さらに、吹出口を覆う風向可変ベーンを設けることにより、吹出口の選択が可能となり、吹き出し空気の方向が上方向、下方向、右方向、左方向と多方向に切り換えられたり、吹き出し空気の方向を広げられる効果がある。従って、用途に応じた吹き出し空気の選択が可能となり、使用勝手が格段に向上する。
【００６１】
また、吹出口を分割して覆う風向可変ベーンを設けることにより、吹き出し空気の幅を制御できる効果がある。従って、用途に応じた吹き出し空気の選択が可能となり、使用勝手が格段に向上する。
【図面の簡単な説明】
【図１】実施の形態１を示す図で、除湿機の正面図である。
【図２】実施の形態１を示す図で、除湿機の側面断面図である。
【図３】実施の形態１を示す図で、図２におけるＡ−Ａ断面図である。
【図４】実施の形態２を示す図で、除湿機の正面図である。
【図５】実施の形態３を示す図で、除湿機の正面図である。
【図６】実施の形態４を示す図で、除湿機の正面図である。
【図７】実施の形態５を示す図で、除湿機の正面図である。
【図８】従来の除湿機の垂直断面図である。
【図９】他の従来の除湿機の垂直断面図である。
【図１０】さらに他の従来の除湿機の垂直断面図である。
【符号の説明】
１  ターボファン、２  上方向吹出口、３  下方向吹出口、４  左方向吹出口、５  右方向吹出口、６  風向可変ベーン、７  風向可変ベーン、８  風向可変ベーン、９  風向可変ベーン、１０  吸込口、１１  蒸発器、１２  凝縮器、１３  ドレン口、１４  タンク、１５  底板、１６  圧縮機、１７  空気、１８  ドレンパン、１９  風路、２０  ユニット背面の吸い込みグリル、２１  風向可変ベーン、２２  風向可変ベーン、２３  風向可変ベーン、２４  風向可変ベーン、２５  風向可変ベーン、２６  風向可変ベーン、２７  ロの字型吹出口、２８  円弧状吹出口、２９  円弧状下吹出口、３０  コの字型吹出口。
【図１】
0003607844.tif 000002
【図２】
0003607844.tif 000003
【図３】
0003607844.tif 000004
【図４】
0003607844.tif 000005
【図５】
0003607844.tif 000006
【図６】
0003607844.tif 000007
【図７】
0003607844.tif 000008
【図８】
0003607844.tif 000009
【図９】
0003607844.tif 000010
【図１０】
0003607844.tif 000011